(57)【要約】【課題】第一に、運搬用把手を箱体上面板の左右に殆ど突出させないようにして、室外機の外形寸法を大きくせず且つ箱体の強度を確保できる室外機を提供すること、第二に、運搬用把手を箱体上面板の左右に殆ど突出させることなく、持ち易い室外機を提供することを目的とする。【解決手段】箱体が、箱本体と、この箱本体の上面の開口を塞ぐ上面部材とから構成し、上記上面部材は短辺側の端部に一体形成の運搬用の把手部を有し、上記箱本体の側面部は、上記把手部に対応した位置に一体に箱体内側に凹む凹部と、この凹部に隣り合う平坦部分とを有し、上記凹部は、その上端面が上記凹部に隣り合う平坦部分の上端面と一体に連続するように箱体内側に凹み、この凹部の上端面が上記上面部材の下面と接触若しくは近接して位置しており、この凹部と上記把手部との間に指挿入用の空間を有して把手を構成する。【選択図】図１
2007113861.tif 000002
【特許請求の範囲】
【請求項１】
箱体の内部に圧縮機と熱交換器及び送風機を備え、この箱体は、底面部と側面部を有して上面が開口する箱本体と、この箱本体の上面の開口を塞ぐように取付けられた上面部材とから構成され、上記上面部材は短辺側の端部に一体に形成された運搬用の把手部を有し、上記箱本体の側面部は、上記把手部に対応した位置に一体に形成されて箱体内側に凹んだ凹部と、この凹部に隣り合う平坦部分とを有し、上記凹部は、その上端面が上記凹部に隣り合う平坦部分の上端面と一体に連続して箱体内側に凹んでおり、この凹部の上端面に上記上面部材が戴置され、この凹部と上記上面部材の把手部との間には、指挿入用の空間が形成されて把手を構成することを特徴とする空気調和機等の室外機。
【請求項２】
上記凹部の上端面がこの凹部に隣り合う平坦部分の上端面と一体に連続するように凹んでおり、この凹部の上端面は、凹部の垂直部分から水平方向に折れ曲がった形状であることを特徴とする請求項１記載の空気調和機等の室外機。
【請求項３】
上記圧縮機は、上記箱本体の左右方向の一端側に設けられていることを特徴とする請求項１記載の空気調和機等の室外機。
【請求項４】
上記凹部の設けられた位置は、凹部の幅寸法の中心位置が、室外機の奥行き方向の中心位置よりも送風機カバー側から遠い位置若しくは圧縮機の奥行き方向の中心位置よりも送風機カバー側から遠い位置に設けられたことを特徴とする請求項１記載の空気調和機等の室外機。
【請求項５】
上記凹部の下端と上記把手部の下端との間は、１５ｍｍ以上で箱本体の側面部の高さ寸法の半分以内であることを特徴とする請求項１記載の空気調和機等の室外機。
【請求項６】
箱体の内部に圧縮機と熱交換器及び送風機を備え、この箱体は、底面部と側面部を有して上面が開口する箱本体と、この箱本体の上面の開口を塞ぐように取付けられた上面部材とから構成され、上記上面部材は短辺側の端部に一体に形成された運搬用の把手部を有し、上記箱本体の側面部は上記把手部に対応した位置に箱体内側に凹んだ凹部を有し、この凹部の垂直方向高さ寸法（Ｈ３）が上記把手部の垂直方向寸法（Ｈ２、Ｈ４）よりも１５ｍｍ以上大きく箱本体の側面部の高さ寸法の半分以内であることを特徴とする空気調和機等の室外機。
【請求項７】
上記凹部の奥行き方向の中心位置が、送風機カバー側から室外機の奥行き方向の中心位置若しくは圧縮機の奥行き方向の中心位置よりも遠い位置に設けられたことを特徴とする請求項６記載の空気調和機等の室外機。
【請求項８】
上記把手は、その垂直方向寸法が上記上面部材の端部の垂直方向寸法（Ｈ１）と同等の垂直方向寸法（Ｈ２）であることを特徴とする請求項６記載の空気調和機等の室外機。
【請求項９】
上記把手は、その垂直方向寸法が上記上面部材の端部の垂直方向寸法（Ｈ１）よりも小さく、且つ、１／２以上の垂直方向寸法（Ｈ４）であることを特徴とする請求項６記載の空気調和機等の室外機。
【請求項１０】
上記把手は、上面部材の短辺側端部の一部に形成され、且つ、上面部材の短辺側端部の外周面から突出しないように形成されたことを特徴とする請求項６記載の空気調和機等の室外機。
【請求項１１】
上記上面部材の端部に一体に形成された把手部の垂直方向の寸法（Ｈ２、Ｈ４）が、２０ｍｍから４０ｍｍの範囲であることを特徴とする請求項６記載の空気調和機等の室外機。
【請求項１２】
上記箱体内側に凹んだ凹部の垂直方向の寸法Ｈ３が、４０ｍｍ以上から上記箱体の垂直高さ寸法の半分以下であることを特徴とする請求項６記載の空気調和機等の室外機。
【発明の詳細な説明】
【技術分野】
【０００１】
本発明は、運搬用の把手を箱体の一部に一体成型により設けた空気調和機等の室外機に関するものである。
【背景技術】
【０００２】
従来の空気調和機等の室外機には、運搬用の把手を箱体上面板の一部に一体に形成したものがある（例えば、特許文献１、特許文献２、特許文献３、特許文献４参照）。
【０００３】
特許文献１は、別部品の運搬用把手を室外機の側板に取り付ける場合には、箱体内部に突出して取り付けるため、箱体内部に配置された部品との接触を避けるために把手の奥行き寸法を大きく確保できず、手で持ち難いという問題があったのを解消する為、樹脂製の箱体上面板（補強用金属製カバー付き）の一部を左右に突出するように一体に形成した文献である。
【０００４】
特許文献２は、上板の平面の一部を側方に延ばして側板よりも突出させ、周囲を下方に向けて折り曲げたフランジ部と上記側板により囲まれた下向き開口部を取っ手として形成している。更に、側板の上端の取っ手対応部以外に設けた段差部にフランジ部を嵌合し、取っ手対応部では段差部を設けずに側板の最上段にある水平フランジに載せて上板を支える箱体構造が記載されている。これによって、熱交換器と側板との距離を確保して、熱交換器と側板との接触による異常音の発生を防止している文献である。
【０００５】
特許文献３は、室外機を外箱の側板と上板で構成し、この側板は上端に箱体内方に落ち込む段差部を有し、上板はこの側板の段差部に嵌合する下向きの周囲フランジ部を有し且つ、側板より外方に突出した把手を備え、突出部の根元のフランジ先端を内方天面に向けて折り返した構造としたものである。このようにすることにより、安全で、強度に優れ、強度に優れることで撓みおよび変形の少ないものとなり、延いては意匠にも優れ、薄い材料で製作できる室外ユニットを提供するという文献である。
【０００６】
特許文献４は、筐体の上面開口を塞ぐ天板の背面側一部に、圧縮機や熱交換器など冷凍サイクル機器に接続される配管が挿通する配管挿通部と、天板の左右両側部に、室外機の運搬時に利用される把手部が箱体の内方に突出するように一体に形成されている。その特徴とするところは、運搬用の一対の把手部を結ぶ中間点に室外機本体の重心が位置していることである。これによって、従来の別部品である取手を取り付けているため外れ易い、空いたスペースを使用して取手を嵌み込むように設計されているため、室外機全体の重心との関係が考慮されておらず、重量バランスが悪く、運搬性が悪かったという問題を解消する文献である。
【０００７】
【特許文献１】特開平１０−２２７４８７号公報
【特許文献２】特開２００２−８１６９６号公報
【特許文献３】特開２００４−１９０８７８号公報
【特許文献４】特開２０００−１１１１０２号公報
【発明の開示】
【発明が解決しようとする課題】
【０００８】
以上に述べた特許文献１から４の従来の室外機は、箱体上面板の把手部の形状と箱本体の側面部の形状の組合せにより強度を確保して、室外機を持ち上げた場合の箱体上面板の把手部周囲及び箱本体の側面部の変形防止と、車両に積載して運搬する際や倉庫での保管に際しての、室外機を積み重ねた際の箱体の強度を確保できるように形成することが考慮されていない。したがって、箱体上面板及び箱本体の側面部の板厚寸法を大きくするか、内部構造体によって補強する構造にする必要があった。
【０００９】
更には、特許文献１から３の従来の室外機は、運搬用把手を箱体上面板の一部に左右に突出するように形成したものであるため、室外機の外形寸法が大きくなってしまう問題を有している。そのため、材料を多く必要とすることは勿論、運搬用の車両への積込み台数或いは倉庫に保管する際の台数が、その分少なくなってしまう問題を有している。
【００１０】
本発明は、以上のような問題点を解消しようとするものであり、第一の課題は、運搬用把手を箱体上面板の左右に殆ど突出させないようにして、室外機の外形寸法を大きくすることなく箱体の強度を確保できる室外機を提供することにあり、第二の課題は、運搬用把手を箱体上面板の左右に殆ど突出させることなく、持ち易い把手を備えた室外機を提供することにある。
【課題を解決するための手段】
【００１１】
上記第一の課題を解決するために、本発明は、箱体の内部に圧縮機と熱交換器及び送風機を備え、この箱体は、底面部と側面部を有して上面が開口する箱本体と、この箱本体の上面の開口を塞ぐように取付けられた上面部材とから構成され、上記上面部材は短辺側の端部に一体に形成された運搬用の把手部を有し、上記箱本体の側面部は、上記把手部に対応した位置に一体に形成されて箱体内側に凹んだ凹部と、この凹部に隣り合う平坦部分とを有し、上記凹部は、その上端面が上記凹部に隣り合う平坦部分の上端面と一体に連続して箱体内側に凹んでおり、この凹部の上端面に上記上面部材が戴置され、この凹部と上記上面部材の把手部との間には、指挿入用の空間が形成されて把手を構成する空気調和機の室外機とした。
【００１２】
請求項２に記載の空気調和機の室外機は、請求項１記載の凹部の上端面がこの凹部に隣り合う平坦部分の上端面と一体に連続するように凹んでおり、この凹部の上端面は、凹部の垂直部分から水平方向に折れ曲がった形状とした。
【００１３】
請求項３に記載の空気調和機の室外機は、請求項１記載の圧縮機は、上記箱本体の左右方向の一端側に設けられている。
【００１４】
請求項４に記載の空気調和機の室外機は、請求項１記載の凹部の幅寸法の中心位置が、室外機の奥行き方向の中心位置よりも送風機カバー側から遠い位置若しくは圧縮機の奥行き方向の中心位置よりも送風機カバー側から遠い位置に設けられている。
【００１５】
請求項５に記載の空気調和機の室外機は、請求項１記載の凹部の下端と上記把手部の下端との間は、１５ｍｍ以上で箱本体の側面部の高さ寸法の半分以内である。
【００１６】
上記第二の課題を解決するために、本発明は、箱体の内部に圧縮機と熱交換器及び送風機を備え、この箱体は、底面部と側面部を有して上面が開口する箱本体と、この箱本体の上面の開口を塞ぐように取付けられた上面部材とから構成され、上記上面部材は短辺側の端部に一体に形成された運搬用の把手部を有し、上記箱本体の側面部は上記把手部に対応した位置に箱体内側に凹んだ凹部を有し、この凹部の垂直方向高さ寸法（Ｈ３）が上記把手部の垂直方向寸法（Ｈ２、Ｈ４）よりも１５ｍｍ以上大きく箱本体の側面部の高さ寸法の半分以内である空気調和機の室外機とした。
【００１７】
請求項７に記載の空気調和機の室外機は、請求項６記載の凹部の奥行き方向の中心位置が、送風機カバー側から室外機の奥行き方向の中心位置若しくは圧縮機の奥行き方向の中心位置よりも遠い位置に設けらている。
【００１８】
請求項８に記載の空気調和機の室外機は、請求項６記載の把手は、その垂直方向寸法が上記上面部材の端部の垂直方向寸法（Ｈ１）と同等の垂直方向寸法（Ｈ２）である。
【００１９】
請求項９に記載の空気調和機の室外機は、請求項６記載の把手は、その垂直方向寸法が上記上面部材の端部の垂直方向寸法（Ｈ１）よりも小さく、且つ、１／２以上の垂直方向寸法（Ｈ４）である。
【００２０】
請求項１０に記載の空気調和機の室外機は、請求項６記載の把手部は、上面部材の短辺側端部の一部に形成され、且つ、上面部材の短辺側端部の外周面から突出しないように形成されている。
【００２１】
請求項１１に記載の空気調和機の室外機は、請求項６記載の上面部材の端部に一体に形成された把手部の垂直方向の寸法(Ｈ２、Ｈ４)が、２０ｍｍから４０ｍｍの範囲である。
【００２２】
請求項１２に記載の空気調和機の室外機は、請求項送風機６記載の箱体内側に凹んだ凹部の垂直方向の寸法（Ｈ３）が、４０ｍｍ以上から上記箱体の垂直高さ寸法の半分以下である。
【発明の効果】
【００２３】
本発明によれば、箱本体の側面部に一体に成型された凹部は、その上端面が上記凹部に隣り合う平坦部分の上端面と一体に連続して箱体内側に凹んでいることで、この凹部及び凹部が設けられた側面部は、荷重に対する強度を大きく出来、この凹部と上面部材の把手部との間に指挿入用の空間を形成して把手を構成したので、運搬用把手は、箱体上面板の左右に殆ど突出することなく、その把手部の形状と上記箱本体の側面部の凹部形状とを組合せることによって、室外機の外形寸法を大きくせず且つ箱体の強度を確保できる室外機を提供できるという、第一の課題に対応する効果が得られる。
【００２４】
請求項２によれば、凹部の上端面がこの凹部に隣り合う平坦部分の上端面と一体に連続するように凹んでおり、この凹部の上端面は、凹部の垂直部分から水平方向に折れ曲がった形状としたことにより、室外機に加わる荷重に対し、特に水平方向に対する荷重、斜め方向に対する荷重に対して強度が大きくなって、箱体の変形を抑制できる。
【００２５】
請求項３によれば、圧縮機が箱本体の左右方向の一端側に設けられていることにより、荷重の大きな圧縮機側のみを請求項１の構成とした場合でも効果が得られる。これは、箱本体の左右方向の一端側に凹部を設けた場合には、箱本体の側面部の左右いずれか一面と、この面に隣接する送風機カバーの設けられた側の側面部、熱交換器側の側面部、上面部材、圧縮機を戴置する底面部材、との組合せ強度の相乗効果による向上が期待できる。
【００２６】
このようにした室外機は、複数台積み重ねる場合は圧縮機側の上に他の室外機の圧縮機側を重ねるように積み重ねれば良い。
【００２７】
また、このようにした室外機は、配管作業時に室外機の圧縮機側の上に作業者が乗って冷媒配管や電気配線等の取り付け作業を行うことも可能である。
【００２８】
請求項４によれば、凹部の幅寸法の中心位置が、室外機の奥行き方向の中心位置よりも送風機カバー側から遠い位置若しくは圧縮機の奥行き方向の中心位置よりも遠い位置に設けられたことにより、作業者が持ち上げて運ぶときに、室外機の重心が把手に掛けた手と送風機カバー側に当接させたお腹の間に位置することになるので、手のみに荷重が加わることがなく持ち易く且つ、お腹に当接させる場合に室外機が傾斜しても、板厚寸法を大きくすること無く強度が確保されていることから室外機の重量による箱体の歪みや変形を抑制できる。
【００２９】
請求項５によれば、凹部の下端と上記把手部の下端との間は、１５ｍｍ以上で箱本体の側面部の高さ寸法の半分以内であることにより、凹部による強度向上の効果が充分得られ、室外機を傾斜した状態で持ち上げた場合でも、室外機の重量によって箱体に捻り変形が発生するのを抑制できる。
【００３０】
請求項６によれば、運搬用把手を箱体上面板の左右に殆ど突出させることなく、持ち易い室外機を提供できるという、第一の課題に対応する効果が得られる。即ち、凹部の垂直方向高さ寸法（Ｈ３）が上記把手部の垂直方向寸法（Ｈ２、Ｈ４）よりも１５ｍｍ以上大きいことから、凹部の面と上記把手部の内側面との間に、指先を垂直方向（少なくとも第一関節が垂直方向）に挿入可能な空間が形成できる。このように少なくとも第一関節が垂直方向に挿入されることによって、指先先端が上面部材の上面裏側を支持すると共に指先の途中が把手部の下端部を支持することになって、この下端部を支持しているよりも掌側の指の関節を下方に押し下げて関節の折り曲げ角度を開くような大きな荷重に対しても、これに抗し易くなる。
【００３１】
また、箱体内側に凹んだ凹部を有するので、指先を挿入する空間を形成する為に把手を大きく突出させる必要がない。これによって、外形寸法を小さくすることができ、運搬車両への積載台数及び、保管倉庫の収容台数を多くすることができる。
【００３２】
請求項７によれば、凹部の奥行き方向の中心位置が、送風機カバー側から室外機の奥行き方向の中心位置若しくは圧縮機の奥行き方向の中心位置よりも遠い位置に設けられたことにより、作業者が持ち上げて運ぶときに、重心が把手に掛けた手と送風機カバー側に当接させたお腹の間に位置することになるので、手のみに荷重が加わることがなく持ち易く且つ、お腹に当接させる場合に室外機が傾斜しても、板厚寸法を大きくすること無く強度が確保されていることから室外機の重量による箱体の歪みや変形を抑制できる。
【００３３】
請求項８によれば、把手部の垂直方向寸法が、上記上面部材の端部の垂直方向寸法（Ｈ１）と同等の垂直方向寸法（Ｈ２）であることにより、この凹部の面と上記把手部の内側面との間に、指先を垂直方向に挿入可能な空間が形成できると共に、上記把手部への指先の掛かりが極めて良好に安定して保持できる。
【００３４】
請求項９によれば、把手の垂直方向寸法が、上記上面部材の端部の垂直方向寸法（Ｈ１）よりも小さく、且つ、１／２以上の垂直方向寸法（Ｈ４）であることにより、この凹部の面と上記把手の内側面との間に、指先を垂直方向に挿入可能な空間が形成できると共に、上記把手部への指先の掛かりを充分確保できる。
【００３５】
請求項１０によれば、把手を上面部材の短辺側端部の外周面から突出しないように形成したことから、外形寸法を小さくすることができる。
【００３６】
請求項１１によれば、把手部の垂直方向の寸法（Ｈ２）が、２０ｍｍから４０ｍｍであることから、指先先端が上面部材の上面裏側を支持すると共に指先の途中が把手部の下端部を支持することになって、把手を充分保持することができる。例えば、２０ｍｍの場合は、指挿入空間に指先から第一関節辺りまで挿入して把手をしっかり保持することができる。また、４０ｍｍの場合は、指挿入空間に指先から第二関節辺りまで挿入して把手に大きな面積で接触して、しっかりと保持することができる。しかも大きな面積で接触することから、指への加重が指の接触面に広く分散され、２０ｍｍの場合に比べて荷重負担が更に小さくなって、よりしっかり保持できる。
【００３７】
請求項１２によれば、箱体内側に凹んだ凹部の垂直方向の寸法（Ｈ３）が、４０ｍｍ以上から上記箱体の垂直高さ寸法の半分以下であることから、指を無理のない形に曲げて把手を保持して室外機を持ち上げることができるので、持ち上げた状態での歩行や階段の昇降が容易になる。また、小型の室外機であれば、一人で持ち運ぶことも可能となる。
【発明を実施するための最良の形態】
【００３８】
以下、本発明を図面に基づいて説明する。
【実施例１】
【００３９】
本発明の実施の形態を図１から図１１に基いて説明する。
【００４０】
図１は本発明の第一実施形態を示す空気調和機の室外機把手部分の断面図で、図２は同室外機の把手部の寸法関係を説明する為の把手部分の断面図、図３は図２の把手部に対応する位置の箱本体の凹部を示す部分斜視図、図４は同室外機の上面部材の部分断面図、図５は図２の把手部を示す側面部分図、図６は同室外機の上面部材を開けて右側斜め上方から見た全体斜視図、図７は同室外機の上面部材を開けて左側斜め上方から見た全体斜視図、図８は同室外機の正面図、図９は同室外機の右側面図、図１０は同室外機の上面部材を右側斜め上方から見た斜視図、図１１は図１０の上面部材を裏側から見た把手部を示す部分斜視図である。
【００４１】
本実施形態の室外機は、図６から図９に示すように、底面部と四面の側面部とで箱本体１を構成し、この箱本体１の上面の開口を上面部材２で塞ぐことで箱体の全体を構成している。この箱体の内部には、送風機６と熱交換器７と圧縮機８等が内蔵されている。送風機６の前面には送風機カバー５が設けられている。上記室外機は、運搬の際に使用する把手を、上記上面部材２の把手部２a及び２ｄと、この把手部２a及び２ｄに対向する位置に指挿入空間３を形成するように箱体内側に凹むように形成した凹部１ｂ及び１ｇとで構成している。
【００４２】
上記把手部２a及び把手部２dは、上面部材２の短辺側の端部に一体に形成されている。この把手部２a及び把手部２dは、手を掛けるための部分として、図４と図１０及び図１１に図示のように上面部材２の端部２ｂの板を内側に折り曲げて形成したものであり、把手部２a及び把手部２dの端部２ｂの側面と、隣り合う端部２ｂの側面と同一面に形成されている。
【００４３】
上記箱本体１に上面部材２を係合させると、螺子孔１ｃと螺子孔２ｃとが重なって両孔が連通する。この重なった孔に螺子（図５に示す螺子４）を捩じ込んで、一体に固定する。この一体に固定した状態での把手の構造は、部分断面図である図１及び図２と、部分側面図である図５に示すとおりである。すなわち、上面部材２の短辺側の端部には、上記把手部２a及び把手部２dを形成している。そして、箱本体１の側面の短辺側上端には、把手部２a及び把手部２dに対応した位置に、凹部１ｂ及び凹部１ｇが形成されている。この凹部１ｂ及び凹部１ｇは、プレス機械等による塑性成型加工で箱体内側に凹むように形成されたものである。
【００４４】
重量の大きい圧縮機８は、図６から図９に図示のとおり、上記箱本体１の右側の端部に設けている。上記凹部１ｂは、重量の大きい圧縮機８の設けられた側に設けている。また凹部１ｇは、圧縮機８を設けた反対側の側面部に設けている。したがって、凹部１ｂは図３に示すように、凹部の奥部の幅寸法Ｗ１・凹部の開口部の幅寸法Ｗ２を大きく塑性成形して、箱体の側面強度を大きくした。実施例では、凹部１ｂの奥部の幅寸法Ｗ１は６５ｍｍ、開口部の幅寸法Ｗ２を８５ｍｍとした。これにより、親指以外の４本の指先を無理なく奥まで挿入できる。
【００４５】
この幅寸法Ｗ１・Ｗ２を大きく形成していることから、箱体の側面強度を大きくするだけでなく、図１に示すように手の指を指挿入空間３に充分奥まで挿入し、把手部２ａを確実に保持することができる。
【００４６】
これに対し、圧縮機８の設けられた反対側は重量が軽いので、把手部２dに手を掛けて室外機を持ち上げても、手に大きな荷重が加わらない。このことから、把手部２dに対向する位置に形成する凹部１ｇは、凹部１ｂに比較すると指を多く挿入する必要がないので、凹部１ｇの塑性成形の大きさを凹部１ｂよりも小さくした。上記圧縮機８の設けられた反対側の凹部１ｇは、凹部１ｂよりも小さくできるため、図７に図示のとおり、熱交換器７の折り曲げ部によって形成される空間側に凹むようにして室外機を大きくしないように工夫した。
【００４７】
尚、室外機の圧縮機８側の側面には、図１、図２、図６、図７に図示のとおり、プレス機械成型による補強部１ａが突出形成されている。これによって、外力若しくは室外機を積み上げてその重量が室外機に片寄って加わった場合などに、撓みが生じるのを抑制する。
【００４８】
箱本体１の側面の上端部１ｄは、その上端面を曲面に曲げている。これによって、箱体の側面強度を上げて、箱体側面を歪み難くしている。尚、直角に曲げた場合でも同程度の強度確保の効果は得られる。上記凹部１ｂの上端面１ｅは、上記側面部の平坦部分の上端面と一体に連続するように箱体内側に凹んでいる。
【００４９】
また、箱本体１は、側面部を直角に曲げて作っているが、直角に曲げた場合はその上端部１ｄが曲面に曲げられているため、この曲面が大きく縮まることになり、大きな皺が出来てしまう。延いては、箱本体全体が変形する虞がある。これを防止する為に、図３に示すとおり、直角に曲げる部分の上端の曲面部１dを切欠いて、切欠き部１ｆを形成した。
【００５０】
上記室外機は、以下の実施例の構成にすることで、第一の課題に対応した実施例の効果を得ることができる。
【００５１】
例えば、上記上面部材２は短辺側の端部２ｂに一体に形成された運搬用の把手部２ａを有し、上記箱本体１の側面部は、上記把手部２ａに対応した位置に一体に形成されて箱体内側に凹んだ凹部１ｂと、この凹部１ｂに隣り合う平坦部分とを有し、上記凹部１ｂは、その上端面１ｅが上記凹部１ｂに隣り合う平坦部分の上端面と一体に連続するように箱体内側に凹んでおり、この凹部１ｂの上端面１ｅに上記上面部材２が戴置され、この凹部１ｂと上記上面部材２の把手部２ａとの間には、指挿入用の空間３が形成されて把手を構成している。
【００５２】
また、図示していないが、上記凹部１ｂの上端面１ｅに上記上面部材２を戴置する場合に、その間に介在物を介在することで、隙間を小さくして激しい風雨に対しても雨が内部に侵入するのを防止し、また、上面部材２の上に据付作業者が乗った場合でも、上記凹部１ｂの上端面１ｅに直接押し付けられないため上端面１ｅの形状に変形した跡が上面部材２に醜く残るのを防止することができる。
【００５３】
上記箱本体１の側面の上端部１ｄは、その上端面が曲面に曲げられており、これによって強度が向上して水平方向の力に対する歪み及び変形が生じ難くなり、上面部材２との嵌合部の形状を所定の形状に形成できる。曲面でなく直角に曲げた場合でも、曲面に曲げた場合と同程度の強度確保の効果が得られる。
【００５４】
また、箱本体１の側面部に一体にプレス機械等により塑性成型された凹部１ｂは、その上端面１ｅが上記側面部の平坦部分の上端面と一体に連続するように箱体内側に凹んでいる。このようにすることで、この凹部１ｂが設けられた側面部は垂直方向の荷重に対する強度が大きく出来る。この凹部１ｂを設けたことにより、室外機を複数積み重ねても変形を抑制することができる。この場合は、重量の大きな圧縮機８側のみでも効果が得られる。
【００５５】
また、側面部の平坦部分の上端面と、凹部１ｂの上端面とを一体に連続するように形成した。これにより箱体強度が高くなるので、冷媒配管及び電気配線などの作業時に、室外機の上面部材２の上に乗って冷媒配管や電気配線等の取り付け作業を行うことも可能である。更に、凹部１ｂの上端面を側面部の平坦部分の上端面と一体に連続するように形成したので、把手に隙間がなくなる若しくは隙間が小さくなる。これによって、風雨が内部に侵入しなくなり、電気品が損傷するのを防止することができる。
【００５６】
上記凹部１ｂ及びこの凹部１ｂに隣り合う平坦部分の夫々の上端面１ｅと、これら上端面１ｅとが一体に連続する部分は、垂直部分から水平方向に折れ曲がった形状をしている。
【００５７】
このように、凹部１ｂ及びこの凹部１ｂに隣り合う平坦部分の夫々の上端面１ｅと、これら上端面１ｅとが一体に連続する部分が、垂直部分から水平方向に折れ曲がった形状をしていることにより、室外機に加わる荷重に対し、特に水平方向に対する荷重、斜め方向に対する荷重に対して強度が大きくなって、箱体の変形を抑制できる。しかも、上端面１ｅは水平方向に折れ曲がった形状をしているので、室外機を重ねた場合若しくは室外機の上に人が乗って空気調和機の配管作業等の作業をして、上面部材２が箱本体の上端面１ｅに強く押し付けられても、上面部材２と面接触するので上面部材２に押し付け変形した痕が付き難くなる。
【００５８】
更に、凹部１ｂの上端面１ｅには、上記上面部材２の下面を接触若しくは介在物を介在して上記上面部材２を戴置することで、両部材の一体感を高めること及び両部材間の隙間を小さくして風雨が内部に侵入して電気品を損傷させるのを防止することができる。また、上記凹部１ｂの上端面１ｅと上記上面部材２の下面との間に介在物を介在することで、室外機を重ねた場合若しくは室外機の上に人が乗って空気調和機の配管作業等の作業をして、上面部材２が箱本体の上端に強く押し付けられても、直接押し付けられないため、押し付け変形した痕が付き難くなる。
【００５９】
次に、以下のような実施例の構成によれば、第２の課題に対応した実施例の効果を得ることができる。
【００６０】
上記把手部２a及び把手部２dの内側に折り曲げた部分の厚さ寸法Ｄ２は、３ｍｍとした。特に、把手部２aは、重量の大きい圧縮機８の設けられた側であるため、折り曲げ厚さ寸法Ｄ２を大きくするのが良い。しかし、この折り曲げ厚さ寸法Ｄ２を大きくすると、上記指挿入空間３を形成する凹部１ｂの寸法Ｄ１も大きくしなければならなくなる。したがって、折り曲げ厚さ寸法Ｄ２は、運搬時の指への荷重を確実に受けることができる必要最小限の大きさとして３ｍｍとした。上記凹部１ｂの寸法Ｄ１は、実施例では１６ｍｍであるので、実質的な指の挿入間口寸法は、Ｄ１−Ｄ２＝１３ｍｍである。
【００６１】
上記把手部２a及び把手部２dの折り曲げ部分は、必ずしも上面部材２の端部の隣り合う他の部分と完全に同一面に形成する必要はない。数ミリ程度、例えば上記折り曲げ厚さ寸法Ｄ２の３ｍｍ程度の小さな寸法であれば、箱体側面から突出しても小寸法且つ部分的である為、外形寸法において殆ど問題にならない。すなわち、梱包材の厚さで殆ど吸収されるため、梱包材全体の外形寸法の大きさを大きくする必要性はなく、延いては運搬車両への積載台数が少なくなるような悪影響を殆どないようにできる。このことから、図１及び図２に図示の把手部２aの指挿入空間３側に折り曲げた部分を、部分的に折り曲げ厚さ寸法Ｄ２の３ｍｍ程度だけ箱体の外側に突出するように成形するようにしてもよい。このようにすれば、凹部１ｂの寸法Ｄ１は１６ｍｍにする必要はなく、１３ｍｍにできるので、箱体の大きさを片側で３ｍｍ小さくでき、両側、即ち箱体全体では６ｍｍ小さくすることも可能である。但し、このように折り曲げた部分を箱体の外側に突出させる場合は、把手部２aの垂直高さ寸法Ｈ２を２０ｍｍ以上にするのが好ましい。すなわち把手部２aの垂直高さ寸法Ｈ２が２０ｍｍ未満の場合は、室外機を持ち上げた際に、指に加わる荷重によって指が垂直方向（４５度以上の斜めを含め）にならない確立が高くなる。したがって、把手部２aの垂直高さ寸法Ｈ２が２０ｍｍ未満の場合は、指挿入空間３側に折り曲げた部分を指挿入空間３側に突出させたままにして、指に引っ掛かり易くして滑り落ち難くすることで、運搬を容易にするのが好ましい。尚、実施例の上面部材２の端部の垂直方向寸法Ｈ１は１７ｍｍで、把手部２aの垂直高さ寸法Ｈ２は１６ｍｍであり、板厚寸法を除くと殆ど同じ寸法である。凹部１ｂの垂直方向高さ寸法Ｈ３は、６５ｍｍである。この実施例の凹部１ｂによる側面板の補強効果により、従来の０．８ｍｍの板厚寸法と同程度の箱体強度にする場合は、０．６ｍｍの板厚寸法にできた。
【００６２】
また、上記凹部１ｂは、重量の大きい圧縮機８の設けられた側に設けている。したがって、凹部１ｂは図３に示すように、凹部の奥部の幅寸法Ｗ１・凹部の開口部の幅寸法Ｗ２を大きく塑性成形して、箱体の側面強度を大きくした。実施例では、凹部１ｂの奥部の幅寸法Ｗ１は６５ｍｍ、開口部の幅寸法Ｗ２を８５ｍｍとした。これにより、親指以外の４本の指先を無理なく奥まで挿入できる。
【００６３】
この幅寸法Ｗ１・Ｗ２を大きく形成していることから、箱体の側面強度を大きくするだけでなく、図１に示すように手の指を指挿入空間３に充分奥まで挿入し、把手部２ａを確実に保持することができる。したがって、重量の大きい圧縮機８側であっても、把手部２aを手の指でしっかり保持して持ち上げられるので、指は荷重に充分耐えることができて運搬を容易に行うことができる。
【００６４】
すなわち、上記把手部２aの下端部を支持している部分よりも掌側の指の関節に、大きな荷重によって垂直方向下方に押し下げる力が働く。しかし、図１のように折り曲げられた関節は、指の先端が略垂直方向上方に向いて折り曲げられているので、上記垂直方向下方に押し下げる力（荷重）に対抗し易く、折り曲げられた関節は折り曲げ角度が開かないようにすることが容易となる。
【００６５】
上記圧縮機８は、上記箱本体１の左右方向の一端側に設けている。更に、上記凹部１ｂの奥行き方向の中心位置が、送風機カバー５側から室外機の奥行き方向の中心位置若しくは圧縮機８の奥行き方向の中心位置よりも遠い位置に設けている。
【００６６】
上記凹部１ｂの下端と上記把手部２ａの下端との間は、１５ｍｍ以上で箱本体１の高さ寸法の半分以内が好ましい。これは、箱体の変形防止の効果を得られる範囲であり、箱本体１の高さ寸法の半分以上になると、室外機を傾斜した状態で持ち上げた場合に重さの大きい圧縮機８の荷重によって箱体が変形するのを抑制する効果が殆ど無くなるからである。つまり、凹部１ｂの下端部と凹部上端面１ｅとで斜め方向の荷重に対する強度、或いはひねり方向の荷重に対する強度を高くしているが、箱本体１の高さ寸法の半分以上になると、斜め方向若しくはひねり方向の荷重に対しての強度向上の効果が小さくなってしまう。
【００６７】
上面部材２は短辺側の端部２ｂに一体に形成した運搬用の把手部２ａを有し、上記箱本体１の側面部は上記把手部２ａに対応した位置に箱体内側に凹んだ凹部１ｂを有し、この凹部１ｂの垂直方向高さ寸法Ｈ３が上記把手部２ａの垂直方向寸法Ｈ２よりも１５ｍｍ以上大きく且つ箱本体１の高さ寸法の半分以下にした。
【００６８】
上記凹部１ｂの垂直方向高さ寸法Ｈ３を、上記把手部２ａの垂直方向寸法Ｈ２よりも１５ｍｍ以上大きくしたことから、凹部１ｂの面と上記把手部２ａの内側面との間に、指先を垂直方向に、少なくとも第一関節が垂直方向に挿入可能な空間が形成できる。このように、少なくとも第一関節が垂直方向に挿入されることによって、指先先端が上面部材２の上面裏側を支持すると共に指先の途中が把手部２ａの下端部を支持することになって、この下端部を支持しているよりも掌側の指の関節を下方に押し下げる方向の荷重、すなわち折り曲げられた関節の折り曲げ角度を大きく開く方向の大きな荷重に対しても、これに抗し易くなる。
【００６９】
これによって、大きな荷重であっても、指先が水平方向に近い、即ち水平方向に対して４５度未満の角度で把手部２ａを支持する室外機に較べ、無理なく運搬することができ、例えば顧客の家の階段などを上って二階に運搬することも容易となる。
【００７０】
尚、上記指先が水平方向に近い状態で支持しても無理なく運搬することができるようにする為には、指先を水平方向に大きく挿入できる奥行き寸法が必要である。標準的な重量３５ｋｇの室外機の場合の例では、最低でも指先の先端から第一関節を超えて挿入できる奥行き寸法が必要であることを確認した。実験例では、最低でも２５ｍｍ以上必要であり、望ましくは３０ｍｍ以上であった。このように水平方向に大きな奥行き寸法にしようとすると、箱体の側面の上端部分を内側に凹むように凹部１ｂを塑性成型加工で形成することは不可能となり、別部品が必要となる。また、把手部２aの垂直方向の寸法Ｈ２が小さいことから、把手部２aの強度が充分でなく、把手部２aから３０ｍｍ以上離れた部分に指先の力が加わり、上面部材２が変形する可能性がある。この変形を防止する為には、板厚を大きくする、或いは、把手部２aを従来文献のように部分的に外方に突出させて強度を確保する必要がある。したがって、部品費がその分高くなることは勿論、上記した従来技術と同様な問題を有することとなる。また、本発明の目的の、室外機の積み重ねに充分堪え得る強度を確保することも困難である。
【００７１】
上記箱体内側に凹んだ凹部１ｂの垂直方向高さ寸法Ｈ３を、上記把手部２ａの垂直方向寸法Ｈ２よりも１５ｍｍ以上大きくすることで、奥行き寸法を大きくすることなく指先を挿入する空間を形成できるため、把手を突出させる必要がない。これによって、外形寸法を小さくすることができ、延いてはダンボール箱等の梱包用の箱も小さくすることができ、省資源に繋がる。また、外形寸法が小さいことから、運搬車両への積載台数及び、保管倉庫の収容台数を多くすることができる。
【００７２】
上記凹部１ｂの奥行き方向の中心位置が、送風機カバー側から室外機の奥行き方向の中心位置若しくは圧縮機８の奥行き方向の中心位置よりも遠い位置に設けたことにより、作業者が持ち上げて運ぶときに、重心が把手に掛けた手と送風機カバー側に当接させたお腹の間に位置することになるので、手のみに荷重が加わることがなく持ち易く且つ、お腹に当接させる場合に室外機が傾斜しても、板厚寸法を大きくすること無く強度が確保されていることから室外機の重量による箱体の歪みや変形を抑制できる。
【００７３】
上記把手は、その垂直方向寸法が上記上面部材２の端部２ｂの垂直方向寸法（Ｈ１）と同等の垂直方向寸法（Ｈ２）であることにより、この凹部の面と上記把手部の内側面との間に、指先を垂直方向に挿入可能な空間が形成できると共に、上記把手部への指先の掛かりが極めて良好に安定して保持できる。
【００７４】
上記把手は、その垂直方向寸法が上記上面部材２の端部２ｂの垂直方向寸法（Ｈ１）よりも小さく、且つ、１／２以上の垂直方向寸法（Ｈ４）であることにより、この凹部の面と上記把手の内側面との間に、指先を垂直方向に挿入可能な空間が形成できると共に、上記把手部への指先の掛かりを充分確保できる。
【００７５】
この凹部１ｂの面と上記把手の内側面との間に、指先を挿入可能な空間が形成されるように上記把手は、上面部材２の短辺側端部２ｂの一部に形成され、且つ、上面部材２の短辺側端部２ｂの外周面から突出しないように形成したことにより、外形寸法を小さくすることができた。
【００７６】
上記上面部材２の端部２ｂに一体に形成された把手部２ａの垂直方向の寸法（Ｈ２、Ｈ４） を、２０ｍｍから４０ｍｍの範囲とした。把手の垂直方向の寸法Ｈ１が２０ｍｍから４０ｍｍの範囲であることから、指先が把手を充分保持することができる。例えば、２０ｍｍの場合は、指挿入空間に指先から第一関節辺りまで挿入して把手をしっかり保持することができる。また、４０ｍｍの場合は、指挿入空間に指先から第二関節辺りまで挿入して把手に大きな面積で接触して、しっかりと保持することができる。しかも大きな面積で接触することから、指への加重が指の接触面に広く分散され、２０ｍｍの場合に比べて荷重負担が更に小さくなって、よりしっかり保持できる。
【００７７】
上記箱体内側に凹んだ凹部１ｂの垂直方向の寸法Ｈ３が、４０ｍｍ以上から上記箱体の垂直高さ寸法の半分以下とした。４０ｍｍ以上とすることにより、指を無理のない形に曲げて指挿入空間に略垂直方向に挿入できるので、把手を無理なく保持して室外機を持ち上げることができる。これによって、室外機を持ち上げた状態での歩行や階段の昇降が容易になる。また、小型の室外機であれば、一人で持ち運ぶことも可能となる。
【実施例２】
【００７８】
図１２は本発明の第二実施形態を示す空気調和機の室外機把手部分の断面図、図１３は同室外機の上面部材２'を右側斜め上方から見た斜視図である。
【００７９】
本実施例の上面部材２’は短辺側の端部２ｂ’に一体に形成した運搬用の把手部２ａ’を有し、上記箱本体１の側面部は上記把手部２ａ’に対応した位置に箱体内側に凹んだ凹部１ｂを有し、この凹部１ｂの垂直方向高さ寸法Ｈ３が上記把手部２ａ’の垂直方向寸法Ｈ４よりも１５ｍｍ以上大きく且つ箱本体１の高さ寸法の半分以下にした。具体的には、上面部材２’の端部２ｂ’の垂直方向寸法Ｈ１は２０ｍｍで、把手部２a’の垂直高さ寸法Ｈ４は１１ｍｍであり、垂直方向寸法Ｈ１の半分以上の寸法にした。上記把手部２a’の垂直高さ寸法Ｈ４を１１ｍｍにできたのは、図示のとおり、把手部２a’先端を指挿入空間３’側に折り曲げて指との引っ掛かりを良くしていることと、指挿入空間３’の奥行き寸法を１５ｍｍ前後にし、上記凹部１ｂの垂直方向高さ寸法Ｈ３を、上記把手部２ａ’の垂直方向寸法Ｈ４よりも１５ｍｍ以上大きく形成して、これによって指先が指挿入空間３’に垂直方向に挿入されるようにしたからである。
【００８０】
本実施例２の凹部１ｂの垂直方向高さ寸法Ｈ３は、実施例１と同寸法の６５ｍｍであるが、試作品の２６ｍｍ、３０ｍｍでも充分な支持し易さを確認できた。但し、塑性加工により凹んだ凹部１ｂによる側面板の補強効果においては、６５ｍｍの場合と比較すると充分とはいえず、上面部材２’の凹部１ｂ真上の位置に人が乗った場合は、側面板の凹部１ｂ周囲が僅かに歪んだ。これでも据付作業の際に乗るだけであれば充分な強度といえるが、積み重ねて車両で運搬した際に、万一大きな衝撃が加わることも想定して、極めて大きな補強効果を得ようとする場合は、４５ｍｍ以上あることが望ましいことを確認した。これによって、凹部１ｂの面と上記把手部２ａ’の内側面との間に、指先を垂直方向に、少なくとも第一関節が垂直方向に挿入可能な空間が形成できる。このように、少なくとも第一関節が垂直方向に挿入できることによって、指先先端が上面部材２’の上面裏側を支持すると共に指先の途中が把手部２ａ’の下端部を滑り難い状態で支持できる。
【００８１】
これによって、大きな荷重であっても、指先が水平方向に近い、即ち水平方向に対して４５度未満の角度で把手部２ａを支持する従来の把手の突出しない室外機に較べ、無理なく運搬することができ、例えば顧客の家の階段などを上って二階に運搬することも容易となる。
【図面の簡単な説明】
【００８２】
【図１】本発明の第一実施形態を示す空気調和機の室外機把手部分の断面図。
【図２】同室外機の把手部の寸法関係を説明する為の把手部分の断面図。
【図３】図２の把手部に対応する位置の箱本体の凹部を示す部分斜視図。
【図４】同室外機の上面部材の部分断面図。
【図５】図２の把手部を示す側面部分図。
【図６】同室外機の上面部材を開けて右側斜め上方から見た全体斜視図。
【図７】同室外機の上面部材を開けて左側斜め上方から見た全体斜視図。
【図８】同室外機の正面図。
【図９】同室外機の右側面図。
【図１０】同室外機の上面部材を右側斜め上方から見た斜視図。
【図１１】図１０の上面部材を裏側から見た把手部を示す部分斜視図。
【図１２】本発明の第二実施形態を示す空気調和機の室外機把手部分の断面図。
【図１３】同室外機の上面部材を右側斜め上方から見た斜視図。
【符号の説明】
【００８３】
１…箱本体、１ａ…補強部、１ｂ…凹部、１ｄ…側面の上端部、１ｅ…凹部上端面、１ｆ…切欠き部、２…上面部材、２ａ…運搬用の把手、２ｂ…上面部材２の端部、３…指挿入空間、４…螺子、５…送風機カバー、６…送風機、７…熱交換器、８…圧縮機、Ｈ１…上面部材の端部の垂直方向寸法、Ｈ２…運搬用の把手２ａの垂直方向寸法、Ｈ３…凹部の垂直方向高さ寸法、Ｈ４…運搬用の把手２ａ′の垂直方向寸法、Ｗ１…凹部の奥部幅寸法、Ｗ２…凹部の開口部幅寸法。
【図１】
2007113861.tif 000003
【図２】
2007113861.tif 000004
【図３】
2007113861.tif 000005
【図４】
2007113861.tif 000006
【図５】
2007113861.tif 000007
【図６】
2007113861.tif 000008
【図７】
2007113861.tif 000009
【図８】
2007113861.tif 000010
【図９】
2007113861.tif 000011
【図１０】
2007113861.tif 000012
【図１１】
2007113861.tif 000013
【図１２】
2007113861.tif 000014
【図１３】
2007113861.tif 000015